(57)【要約】【課題】  印刷ジョブを保存して再度の印刷を可能とするカラー画像形成装置において、カラー画質の低下を起こさず、かつ、印刷速度を落とさずに印刷を行う方法が無かった。【解決手段】  本発明のカラー画像形成装置は、イメージデータを保存する際に、写真データなどを含み色画質が大きく印刷品質を左右する文書は、画質を優先するためにＲＧＢ色形式で、また、文書のみのデータや白黒の色データしか含まれていない文書は、印刷速度を優先するためにＣＭＹＫ色形式での保存形式を選択する保存形式選択手段を備えることにより問題を解決した。【選択図】図１
2008036901.tif 000002
【特許請求の範囲】
【請求項１】
印刷データを受け取る印刷データ受信部と
前記印刷データを解析してイメージデータに変換するイメージデータ変換部と
前記イメージデータをＲＧＢ色形式からＣＭＹＫ色形式に変換する色変換処理部と
前記イメージデータを保存する内部記憶装置と
前記ＣＭＹＫ色形式のイメージデータの印刷を行う印刷部と
を有するカラーの画像出力を行うカラー画像形成装置において、
前記イメージデータを保存する際に、画質優先する場合はＲＧＢ色形式で、印刷速度を優先する場合はＣＭＹＫ色形式での保存形式を選択する保存形式選択手段を有する
ことを特徴とするカラー画像形成装置。
【請求項２】
請求項１記載のカラー画像形成装置であって、
前記保存形式選択手段は、外部からの画質優先または印刷速度優先の指定を受け付け、この指定に対応する前記保存形式を選択する
ことを特徴とするカラー画像形成装置。
【請求項３】
請求項１記載のカラー画像形成装置であって、
前記保存形式選択手段は、イメージデータ中の色データの有無や色データの占める割合によりＲＧＢ色形式で保存するか、ＣＭＹＫ色形式で保存するかを選択する
ことを特徴とするカラー画像形成装置。
【発明の詳細な説明】
【技術分野】
【０００１】
カラー出力可能な画像形成装置において、イメージデータの保存に際し、色変換の方法をＲＧＢとＣＭＹＫを選択することにより画質優先の保存、印刷速度優先の保存を選択できるカラー画像形成装置に関する。
【背景技術】
【０００２】
画像形成装置のジョブ保存機能において、保存対象ジョブのＰＤＬ（ページ記述言語）からイメージへの展開の処理速度やメモリ容量に応じて、保存形式をイメージ展開前のＰＤＬ形式かイメージ展開後のデータかを切り替える方法がある（特許文献１参照）。
【０００３】
カラーの画像形成装置において、ホストから送信されたカラーデータをデバイスに最適なビットマップデータに変換する色変換処理がある。色変換にはＲＧＢ８ｂｐｓのデータからＣＭＹＫ８ｂｐｓデータへ変換するＬＵＴによる変換、マシン特性によるγ補正、スクリーニング処理等が上げられる。これらの変換処理のパラメータはマシンのランニング中もキャリブレーションやユーザーによる色値補正などによって時系列に変化が加わる。しかし、従来ジョブ保存されたイメージデータにはこれらのパラメータが反映されないため、出力結果の画像品質にバラツキがでるという問題があった。
【０００４】
よって、前記特許文献１の方法では、イメージ展開後のデータを保存した際には、カラー画像の品質の低下が見られる。一方ＰＤＬ形式で保存した際には、カラー画質の品質低下は起こらないが、ＰＤＬを再度イメージ展開するために印刷に非常に時間がかかってしまう。
【０００５】
【特許文献１】特開平１０−１１２３３号公報
【発明の開示】
【発明が解決しようとする課題】
【０００６】
解決しようとする問題点は、印刷ジョブを保存して再度の印刷を可能とするカラー画像形成装置において、カラー画質の低下を起こさずかつ印刷速度を落とさなくすることができなかった点である。
【課題を解決するための手段】
【０００７】
本発明のカラー画像形成装置は、印刷データを受け取る印刷データ受信部と前記印刷データを解析してイメージデータに変換するイメージデータ変換部と前記イメージデータをＲＧＢ色形式からＣＭＹＫ色形式に変換する色変換処理部と前記イメージデータを保存する内部記憶装置と前記ＣＭＹＫ色形式のイメージデータの印刷を行う印刷部とを有するカラーの画像出力を行うカラー画像形成装置において、前記イメージデータを保存する際に、画質優先する場合はＲＧＢ色形式で、印刷速度を優先する場合はＣＭＹＫ色形式での保存形式を選択する保存形式選択手段を有することを最も主要な特徴とする。
【発明の効果】
【０００８】
本発明のカラー画像形成装置は、印刷データを受け取る印刷データ受信部と前記印刷データを解析してイメージデータに変換するイメージデータ変換部と前記イメージデータをＲＧＢ色形式からＣＭＹＫ色形式に変換する色変換処理部と前記イメージデータを保存する内部記憶装置と前記ＣＭＹＫ色形式のイメージデータの印刷を行う印刷部とを有するカラーの画像出力を行うカラー画像形成装置において、前記イメージデータを保存する際に、画質優先する場合はＲＧＢ色形式で、印刷速度を優先する場合はＣＭＹＫ色形式での保存形式を選択する保存形式選択手段を有することを最も主要な特徴とするため、画質優先で保存されたイメージデータを出力する場合、そのイメージデータに対して、現在のデバイス状態に最適な色変換を行うことができ、保存されたイメージデータの出力画像品質を保つことが可能となった。また、保存されたイメージデータを同システムの搭載された別のマシンによって保存データを出力しても、最適な結果が得られるようになる。また、速度優先で保存されたイメージデータは伸張してエンジン部に渡すだけの処理となり印刷速度を線速に保つことが出来る。
【発明を実施するための最良の形態】
【０００９】
印刷ジョブを保存して再度の印刷を可能とするカラー画像形成装置において、カラー画質の低下を起こさずかつ印刷速度を落とさなくすることが出来ないという問題点を画質優先する場合はＲＧＢ色形式で、印刷速度を優先する場合はＣＭＹＫ色形式での保存形式を選択する保存形式選択手段を持たせることにより実現した。
【実施例１】
【００１０】
［構成］
図１は、本発明の実施例に係わる画像形成装置の機能ブロック図である。
【００１１】
画像形成装置１００は、印刷データ受信部１０１、印刷データ解析部１０２、描画処理部１０３、色変換処理部１０４、ラスタライズ処理部１０５、出力部１０６、ジョブ制御部１０７、内部記憶装置１０８からなる。
【００１２】
印刷データ受信部１０１は、ＰＣから送信されてくる印刷データを受信し保持する。
【００１３】
印刷データ解析部１０２（イメージデータ変換部及び保存形式選択手段）は、印刷データのＰＤＬ（Page  Description  Language；ページ記述言語）の解析を行う。また、カラーイメージデータの有無やカラーイメージデータの占める割合などによりＲＧＢ形式で保存するかＣＭＹＫ形式で保存するかの選択を行う保存形式選択手段としても働く。
【００１４】
描画処理部１０３（イメージデータ変換部）は、前記印刷データ解析部１０２で解析されたＰＤＬを中間言語（例えば、Display  List）に変換する。
【００１５】
色変換処理部１０４は、印刷データの色データをＲＧＢからＣＭＹＫに変換する。
【００１６】
ラスタライズ処理部１０５（イメージデータ変換部）は、前記の中間言語を解析してイメージデータに変換する。また、保存されたジョブの取り出し、圧縮及び伸張処理も行う。
【００１７】
上記の印刷データ解析部１０２、描画処理部１０３、ラスタライズ処理部１０５は協調して動作し、イメージデータ変換部として働く。
【００１８】
出力部１０６（印刷部）は、色変換処理部１０４でＣＭＹＫに色変換されて、上記の印刷データ解析部１０２、描画処理部１０３、ラスタライズ処理部１０５での処理を経てイメージデータに変換された印刷データの印刷を行う。
【００１９】
ジョブ制御部１０７は、描画処理部１０３を通して、ジョブの保存や印刷部数を制御したり、集約ページの印刷制御をしたりする。
【００２０】
内部記憶装置１０８は、ラスタライズされたイメージデータを保存する。保存する際、印刷データが写真データなどの中間色を含むカラーデータを含む場合には、画質優先する保存形式としてＲＧＢ色形式のイメージデータの形で保存し、また、保存する印刷データが白黒の文書等や、中間色を含まない図形など色品質が重要でないイメージデータの場合には、ＣＭＹＫ色形式のイメージデータの形で保存する保存形式選択手段を持つ。
【００２１】
［フローチャート］
まず、図２のフローチャートを用いて画像形成装置が受信した印刷データをＲＧＢ色形式またはＣＭＹＫ色形式に保存し、印刷する動作の流れについて説明する。
【００２２】
Ｓ１：画像形成装置１００は、印刷データの受信をする。
【００２３】
Ｓ２：画質優先が設定されているかどうかを判断する。この判断を行うにはあらかじめ、操作パネルなどから白黒の文書については速度優先で、カラーの文書については画質優先で保存するというような設定を行い、その設定に従い判断する方法と、印刷データ解析部１０２がＰＤＬ（ページ記述言語）の解釈を行う際に、カラーイメージデータの有無やカラーイメージデータの占める割合などにより判断する方法のどちらかをあらかじめの設定で選択可能とする。
【００２４】
画質優先であれば、ＲＧＢ形式のイメージデータを保存する処理を行うためＳ４に動作を移行する。画質優先でなければ、高速で印刷するためのＣＭＹＫ形式でのイメージデータを保存する処理を行うためＳ１１に動作を移行する。
【００２５】
Ｓ４：印刷データ解析部１０２、描画処理部１０３、ラスタライズ処理部１０５がＲＧＢ形式の印刷データをラスタライズ化してページイメージを作成する。
【００２６】
Ｓ５：内部記憶装置１０８に前ステップで作成したページイメージを保存する。
【００２７】
Ｓ６：印刷するかどうかを判断する。印刷する場合は、動作をＳ８に移行する。印刷しない場合は、動作をＳ１０に移行する。
【００２８】
Ｓ８：色変換処理部１０４にてＲＧＢページイメージをＣＭＹＫページイメージに色変換する。
【００２９】
Ｓ９：出力部１０６にＣＭＹＫページイメージを渡して印刷を行う。
【００３０】
Ｓ１０：ひとつのジョブの全頁について処理したかどうかを判断する。全頁の処理が終了したら動作を終了する。まだ終了していなければ動作をＳ４に移行して処理を繰り返す。
【００３１】
画質優先で保存しない場合、すなわち速度優先で保存する場合にはＳ２からＳ１１に動作を移行する。
【００３２】
Ｓ１１：印刷データ解析部１０２、描画処理部１０３、ラスタライズ処理部１０５が色変換処理部１０４と協調して動作し、ＣＭＹＫ形式のページイメージを作成する。
【００３３】
Ｓ１２：内部記憶装置１０８に前ステップで作成したＣＭＹＫ形式のページイメージを保存する。
【００３４】
Ｓ１３：印刷するかどうかを判断する。印刷する場合は、動作をＳ１４に移行する。印刷しない場合は、動作をＳ１５に移行する。
【００３５】
Ｓ１４：出力部１０６にＣＭＹＫページイメージを渡して印刷を行う。
【００３６】
Ｓ１５：ひとつのジョブの全頁について処理したかどうかを判断する。全頁の処理が終了したら動作を終了する。まだ終了していなければ動作をＳ１１に移行する。
【００３７】
以上により、画像形成装置が受信した印刷データをＲＧＢ色形式またはＣＭＹＫ色形式により保存して印刷を行う一連の動作を終了する。
【００３８】
次に、図３のフローチャートを用いて、画像形成装置の内部記憶装置１０８に保存されている印刷イメージデータからデータを読込んで印刷する際の動作の流れについて説明する。
【００３９】
Ｓ２１：内部記憶装置１０８に保存されているページイメージデータを読込む。
【００４０】
Ｓ２２：読込んだページイメージデータの画像形式がＲＧＢ形式かどうかを判断する。ＲＧＢ形式の場合は動作をＳ２４に、そうでない場合は動作をＳ２７に移行する。
【００４１】
Ｓ２４：色変換処理部１０４でＲＧＢページイメージをＣＭＹＫ色形式のページイメージに変換する。
【００４２】
Ｓ２５：出力部へ出力して印刷を行う。
【００４３】
Ｓ２６：ひとつのジョブの全頁について処理したかどうかを判断する。全頁の処理が終了したら動作を終了する。まだ終了していなければ動作をＳ２１に移行する。
【００４４】
Ｓ２１で読込んだイメージデータの色形式がＲＧＢで無い場合、すなわちＣＭＹＫ形式の場合には、Ｓ２２からＳ２７へ動作を移行する。
【００４５】
Ｓ２７：出力部へＣＭＹＫ形式のイメージデータを出力して印刷を行う。
【００４６】
Ｓ２８：ひとつのジョブの全頁について処理したかどうかを判断する。全頁の処理が終了したら動作を終了する。まだ終了していなければ動作をＳ２７に移行する。
【００４７】
以上により、保存されているイメージデータから印刷を行う一連の動作を終了する。
【００４８】
［実施例の効果］
本発明の実施例により、印刷データにより保存形式をＲＧＢかＣＭＹＫを選択して保存することができる。写真データなどを含み色画質が大きく印刷品質を左右する文書はＲＧＢ形式で保存するため、再度の印刷の際にも印刷品質を落とすことなく、印刷が可能となった。また、文書のみのデータや白黒のみの色データの文書はＣＭＹＫ形式で保存するため、再度の印刷の際にも印刷速度を落とすことなく印刷が可能となった。
【図面の簡単な説明】
【００４９】
【図１】画像形成装置の機能ブロック図である（実施例１）。
【図２】画像形成装置において、印刷データ受信から印刷をする際のフローチャートである（実施例１）。
【図３】画像形成装置において、保存データから印刷をする際のフローチャートである（実施例１）。
【符号の説明】
【００５０】
１００  画像形成装置（カラー画像形成装置）
１０１  印刷データ受信部
１０２  印刷データ解析部（イメージデータ変換部、保存形式選択手段）
１０３  描画処理部（イメージデータ変換部）
１０４  色変換処理部
１０５  ラスタライズ処理部（イメージデータ変換部）
１０６  出力部（印刷部）
１０７  ジョブ制御部
１０８  内部記憶装置（保存形式選択手段）
【図１】
2008036901.tif 000003
【図２】
2008036901.tif 000004
【図３】
2008036901.tif 000005